(57)【要約】【課題】従来のコンクリートブロックは、擬石間に土壌を充填する構造になっていたために、土壌の充填作業が面倒だった。【解決手段】コンクリートブロック１は、ベースプレート部２と、該ベースプレート部２の表面側に玉石に模して形成された複数の擬石３…３と、を備えている。前記複数の擬石３…３のうちの少なくとも一以上の擬石３…３は、その上部に土壌を蓄える凹溝状の土壌支持部４を備えている。【選択図】　図１
2004060370.tif 000002
【特許請求の範囲】
【請求項１】
ベースプレート部と、該ベースプレート部の表面側に玉石に模して形成された複数の擬石と、を備えていて、
前記複数の擬石のうちの少なくとも一以上の擬石は、その上面に土壌を支持する土壌支持部を備えている
ことを特徴とするコンクリートブロック。
【請求項２】
前記土壌支持部は、凹溝状に形成されている
ことを特徴とする請求項１に記載のコンクリートブロック。
【請求項３】
前記複数の擬石は、上下方向に複数段に配置されていて、上段の擬石よりも下段の擬石が前記ベースプレート部の表面側に突出していて、該突出した擬石に前記土壌支持部が設けられている
ことを特徴とする請求項１に記載のコンクリートブロック。
【請求項４】
前記土壌支持部は、通水路を介して前記ベースプレート部の背面側に連通している
ことを特徴とする請求項１に記載のコンクリートブロック。
【発明の詳細な説明】
【０００１】
【発明の属する技術分野】
本発明は、河川や海岸等の護岸、道路の側壁、水路の側壁等の構築に用いるコンクリートブロックに関するものである。
【０００２】
【従来の技術】
道路の側壁、水路の側壁等の擁壁を構築する方法として、方形状のコンクリートブロックを積み重ねる方法が知られている。
【０００３】
しかし、ただ単に方形状のコンクリートブロックを積み重ねて構築した擁壁はその表面に草や木等の植物が生えることもなく無味乾燥で味気ない。そこで、図５に示すように、方形状のブロック本体部１０１の表面にポケット部１０２を設け、該ポケット部１０２に植物を生やすようにしたコンクリートブロック１０３が開発されている。（特開２０００−３３６６７５）。
【０００４】
図６に示すように、前記ポケット部１０２を設けたコンクリートブロック１０３を使用して構築した擁壁１０４は、前記ポケット部１０２に生やした草や木或いは花等の植物により、無味乾燥なコンクリートブロック１０３の擁壁１０４に多少の潤いを与えることができるが、しかし所詮はコンクリートブロック１０３で作られたの擁壁１０４であるという印象を拭い去ることはできない。なお、１０５は、ポケット部１０２を有しない一般的なブロックである。
【０００５】
そこで、図７に示すように、ベースプレート部２０１と、該ベースプレート部２０１の表面側に玉石に模して形成された複数の擬石２０２…２０２と、により構成されたコンクリートブロック２０３が開発されている。（特開平１１−２１９２０）。
【０００６】
図８に示すように、前記コンクリートブロック２０３を積み重ねて形成した擁壁２０４は、自然石を積み重ねて形成した石垣のような景観を有していて、ただ単に方形状のコンクリートブロックを積み重ねて構築した擁壁には期待できない趣の有るものになる。
【０００７】
【発明が解決しようとする課題】
ところで、前記特開平１１−２１９２０のコンクリートブロック２０３は、図６に示すように、ベースプレート部２０１の表面側に玉石に模して形成された複数の略同じ大きさの擬石２０２…２０２を並列に立設し、しかも、図７に示すように、擬石２０２と、これに隣接する擬石２０２と、の間の隙間の最も狭くなる最小隙間部分２０５（この最小隙間部分２０５の隙間Ｇは、２０ｍｍ以下）の位置が、擬石２０２の高さＨ１の略１／２の高さＨ２になるように設定したものであったために、次に述べるような問題点があった。
（１）前記擬石２０２と、これに隣接する擬石２０２と、の間の隙間（前記最小隙間部分２０５よりも下の部分の隙間）に土壌２０６を充填する際に、前記最小隙間部分２０５の隙間Ｇは、２０ｍｍ以下であって、狭いために土壌２０６を充填するのが難しい。また、前記隙間Ｇが狭いために多くの植物を生やすことができない。
（２）前記最小幅部分２０５よりも下方の隙間の部分に充填した土壌２０６の表面は、上方に位置する擬石２０２で覆われ、日光が当たらない状態になっているために、植物が成長し難い。
（３）地盤２０７から前記擬石２０２間の隙間に充填された土壌２０６に水分や湿気等が供給されないので、雨が降らずに乾燥した状態が続くと、前記隙間に芽生えた植物は枯れてしまう。
【０００８】
本発明の目的は、前記従来のコンクリートブロックのように狭い隙間から土壌を注入しないでも土壌を土壌支持部に支持することのできるコンクリートブロックを提供することにある。
【０００９】
また、本発明の他の目的は、上記土壌支持部に確実に土壌を支持することのできるコンクリートブロックを提供することにある。
【００１０】
また、本発明の他の目的は、芽生えた植物に日光を十分に当てることのできるコンクリートブロックを提供することにある。
【００１１】
また、本発明の他の目的は、擁壁を設けた地盤側から水分や湿気を芽生えた植物に供給することのできるコンクリートブロックを提供することにある。
【００１２】
【課題を解決するための手段】
請求項１の発明は、ベースプレート部と、該ベースプレート部の表面側に玉石に模して形成された複数の擬石と、を備えたコンクリートブロックおいて、
前記複数の擬石のうちの少なくとも一以上の擬石には、その上部に土壌を蓄える土壌支持部を設けることにより、
前記土壌支持部に土壌を載せて支持することができるようにした。
【００１３】
請求項２の発明は、前記土壌支持部を凹溝状に形成することにより、
前記凹溝状の土壌支持部に充填した土壌が容易に外部に流出しないようにした。
【００１４】
請求項３の発明は、前記複数の擬石を、上下方向に複数段に配置すると共に、上段の擬石よりも下段の擬石をより外側に突出させて、該突出した擬石に前記土壌支持部を設けることにより、
上段の擬石が日光を遮るのを防止して、前記土壌支持部に生えている植物に日光が良く当たるようにした。
【００１５】
請求項４の発明は、前記ベースプレート部に、前記土壌支持部とベースプレート部背面を繋ぐ通水路を設けることにより、
地盤側から前記土壌支持部に水分や湿気を供給することができるようにした。
【００１６】
【発明の実施の形態】
図１（Ａ）はコンクリートブロック１の正面図、図１（Ｂ）はコンクリートブロック１の側面図、図１（Ｃ）は図１（Ａ）のＣ−Ｃ断面図である。
【００１７】
前記コンクリートブロック１は、ベースプレート部２と、該ベースプレート部２の表面側に玉石に模して形成された複数の擬石３を備えている。
【００１８】
前記ベースプレート部２は、高さＨ１≒６６５．６ｍｍ、幅Ｗ１≒２０００ｍｍ、厚さＴ１≒１００ｍｍの略長方形状に形成されている。
【００１９】
前記複数の擬石３は、前記ベースプレート部２の表面に上下方向に３段で、各段に８個、合計２４個が配置されている。
【００２０】
前記２４個の擬石３は、３種類の大きさ（径）に形成されている。具体的には、上段の左端、上段の左端から４個目、上段の左端から７個目、中段の左端から３個目、中段の左端から６個目、下段の左端、下段の左端から４個目、下段の左端から７個目が最も大に形成され、上段の左端から２個目、上段の左端から５個目、上段の左端から８個目（右端）、中段の左端、左端から４個目、中段の左端から７個目、下段の左端から２個目、下段の左端から５個目、下段の左端から８個目（右端）が最も小に形成され、上段の左端から３個目、上段の左端から６個目、中段の左端から２個目、中段の左端から５個目、中段の左端から８個目（右端）、下段の左端から３個目、下段の左端から６個目が前記大の擬石と小の擬石の中間の大きさに形成されている。
【００２１】
図１（Ｃ）に示すように、最も大きな擬石３の高さＨ２は、略１５０ｍｍ、最も小さな擬石３の高さＨ３は、略５０ｍｍ、中間の大きさの擬石３の高さＨ４は略１００ｍｍに形成されている。前記大きな擬石の周囲、特に、上部には小さい擬石か中くらいの擬石が位置するようになっている。
【００２２】
前記最も大きな擬石３は、上部に土壌を支持する土壌支持部４を備えている。前記土壌支持部４は、前記擬石３の上面側を凹ませることにより凹溝状に形成されている。
【００２３】
前記ベースプレート部２は、前記土壌支持部４とベースプレート部背面２ａを繋ぐ通水路５を備えている。そして、前記通水路５を介して地盤側の水分や湿気を前記土壌支持部４に生えている植物に供給するようになっている。
【００２４】
図２に示すように、前記コンクリートブロック１は、道路地盤１１の側壁に取付けられて擁壁１２を構築する。前記凹溝状の土壌支持部４には、土壌が充填され、適宜の植物が植えられる。
【００２５】
前述のようにして構築された擁壁１２は、自然石を積み重ねて形成した石垣のような景観を呈すると共に、前記凹溝状の土壌支持部４に植えられた植物によって、より一層、趣の有るものになる。
【００２６】
また、前記凹溝状の土壌支持部４を設けた擬石３は、これよりも小さな擬石３の下方に配置されていて、前記凹溝状の土壌支持部４は、前記上部の小さい擬石３よりも外側に突出した状態になっているので、前記凹溝状の土壌支持部４は、上部の擬石３の日陰になり難く、従って、土壌支持部４に生えている植物に十分に日光を当てることが可能になる。更に、前記凹溝状の土壌支持部４には、地盤１１側から通水路５を介して水分や湿気が供給されるので、前記土壌支持部４に植えられた植物にとって快適な環境が保証される。
【００２７】
なお、前記凹溝状の土壌支持部４に積極的に土壌を充填したり、或いは植物を植えなくても、擁壁１２を構築して数ヶ月放置しておけば、前記凹溝状の土壌支持部４内には土壌が自然に堆積すると共に、風等によって運ばれてきた雑草の種等が芽生えてきて、より自然な景観を呈するようになる。なお、前記実施例においては、ベースプレート部２を高さＨ１≒６６５．６ｍｍ、幅Ｗ１≒２０００ｍｍ、厚さＴ１≒１００ｍｍの略長方形状に形成した場合を示したが、ベースプレート部２の大きさ等は、使用目的等に応じて適宜に設定される。
【００２８】
また、実施例においては、擬石３を、大中小の３種類の大きさ（径）に形成した場合を示したが擬石３は、全て同じ大きさで、且つベースプレート部２からの突出高さも同じであっても良い。また、実施例では、本発明のコンクリートブロック１を使用して、道路地盤１１の側壁に擁壁１２を構築する場合、即ち道路の側壁を構築する場合について説明したが、水路や河川敷等を構築しても良い。特に、河川敷に使用した場合には、前記土壌支持部４や擬石相互間に土砂等が堆積して、自然保護の上で有効なものになる。また、ベースプレート部２は、図２に示すように略くの字状であっても、図３に示すようにＬ字状であっても、或いは図４に示すように略Ｕ字状であっても、或いは平板状であってもよい。また、前記略くの字状、Ｌ字状、略Ｕ字状、平板状のコンクリートブロックを適宜、組合せて擁壁を形成しても良い。
【００２９】
【発明の効果】
本発明のコンクリートブロックには、次に述べるような効果がある。
（１）請求項１のコンクリートブロックは、ベースプレート部の表面側に玉石に模して形成された複数の擬石のうちの少なくとも一以上の擬石に、その上部に土壌を蓄える土壌支持部を設けたので、該土壌支持部に土壌を蓄えて植物等を生やすことができる。
（２）請求項２のコンクリートブロックは、前記土壌支持部を凹溝状に形成したので、注入した土壌が外部に流出するのを防止することができる。
（３）請求項３のコンクリートブロックは、前記複数の擬石を上下方向に複数段に配置すると共に、上段の擬石よりも下段の擬石をより外側に突出させて、該突出した擬石に前記土壌支持部を設けたので、上段の擬石が日光を遮るのを防止して、植物に日光が良く当たるようにすることができる。
（４）請求項４のコンクリートブロックは、前記ベースプレート部に、前記土壌支持部とベースプレート部背面を繋ぐ通水路を設けたので、擁壁を設けた地盤側から前記土壌支持部に生えている植物に水分や湿気を供給することができる。
【図面の簡単な説明】
【図１】（Ａ）はコンクリートブロックの正面図、図１（Ｂ）はコンクリートブロック１の側面図、（Ｃ）は（Ａ）のＣ−Ｃ断面図。
【図２】使用状態を示す斜視図。
【図３】他の使用状態を示す斜視図。
【図４】他の使用状態を示す斜視図。
【図５】従来例の斜視図。
【図６】従来例の使用状態を示す斜視図。
【図７】他の従来例の側面図。
【図８】従来例の使用状態の斜視図。
【符号の説明】
１…コンクリートブロック、２…ベースプレート部、３…擬石、４…土壌支持部、５…通水路、１１…地盤、１２…擁壁。
【図１】
2004060370.tif 000003
【図２】
2004060370.tif 000004
【図３】
2004060370.tif 000005
【図４】
2004060370.tif 000006
【図５】
2004060370.tif 000007
【図６】
2004060370.tif 000008
【図７】
2004060370.tif 000009
【図８】
2004060370.tif 000010